(57)【要約】【課題】  簡単な機構で負荷への通電状態を判別可能とする。【解決手段】  ２極単投スイッチＳＷＡがオンにされると、照明器具２が通電状態となって点灯するとともに、双方の電磁石Ｍ１、Ｍ２が通電状態となり、２極単投スイッチＳＷＢが電磁石Ｍ２に引き付けられて強制的にオン状態になる。このとき、双方の２極単投スイッチＳＷＡ、ＳＷＢとも、オン側の操作面が押下された状態となる。このオン状態で、例えば、２極単投スイッチＳＷＢがオフにされると、照明器具２が非通電状態となって消灯するとともに、双方の電磁石Ｍ１、Ｍ２が非通電状態となり、２極単投スイッチＳＷＡがバネＳ１により強制的に引き戻されてオフとなる。このとき、双方の２極単投スイッチＳＷＡ、ＳＷＢとも、オフ側の操作面が押下された状態となる。【選択図】    図１
2006252911.tif 000002
【特許請求の範囲】
【請求項１】
電源からの電力を負荷に対して通電／非通電する三路以上のスイッチ回路であって、
オン／オフ操作で前記負荷に対して通電／非通電すべく前記負荷と前記電源との間に設けられた複数のスイッチと、
前記複数のスイッチの各々に設けられ、前記複数のスイッチのいずれかの操作部がオン状態またはオフ状態となるように操作されると、操作されたスイッチ以外のスイッチの操作部の動作位置が操作されたスイッチと一致する状態となるように操作部の動作位置を変化させる手段と
を具備することを特徴とするスイッチ回路。
【発明の詳細な説明】
【技術分野】
【０００１】
本発明は、照明器具などをオン／オフするスイッチ回路に関する。
【背景技術】
【０００２】
従来より、階段の照明器具などには、階下と階上とのどちらからの操作でも照明をオン／オフさせることができる三路以上のスイッチが設けられている。図３は、従来の三路スイッチを用いた照明回路を示す回路図である。スイッチＳＷ１が例えば階下に設けられ、スイッチＳＷ２が階上に設けられる。スイッチＳＷ１、ＳＷ２が互いに異なる経路側に投入されている場合には、商用電源１から照明器具２に通電されないのでオフ（非点灯）状態となる。
【０００３】
この状態で、スイッチＳＷ１もしくはスイッチＳＷ２のいずれかが、他方のスイッチが投入されている経路側に投入されると、商用電源１から照明器具２に通電され、オン（点灯）状態となる。そして、オン状態で、スイッチＳＷ１もしくはスイッチＳＷ２のいずれかが反対の経路側に投入されると、照明器具２はオフ（非点灯）状態となる。さらに、２箇所以上でのオン／オフ操作を可能とする場合には、上記三路スイッチに加えて、四路スイッチなど、三路以上のスイッチを組み合わせて用いればよい。
【０００４】
ところで、一般に、このような三路以上のスイッチには、図４に示すように、チルトスイッチが採用されており、当然、どちら側に投入されているかでオン、オフが決まるものではない。言い換えると、スイッチの操作面を見たり触ったりしただけでは、照明器具がオン状態であるか、オフ状態であるか、すなわち通電状態を確認することができないため、視覚障害者などには判別することができないものであった。
【０００５】
また、シーリング照明などのプル紐やリモコンを併用してオン／オフ操作している場合には、健常者であっても、スイッチの操作面を見ただけでは通電状態を判別しにくい。例えば、プル紐で照明器具のオフにしている場合には、スイッチをどちらに投入しても照明器具が点灯しないが、この状態はスイッチの操作面を見ただけでは判別することができない。
【０００６】
そこで、従来技術として、スイッチ内部に振動片を設け、オン状態もしくはオフ状態のいずれかの状態で上記振動片を振動させることで、操作片の位置を視覚によって判別するのに加え、操作面に触っただけで、オン状態もしくはオフ状態のいずれの状態であるかを判別させる技術が提案されている（例えば特許文献１参照）。また、他の従来技術として、スイッチ動作に連動させて、突起物を操作面から突出させたり、ヒータにより操作面の温度を上げたりするような機構をスイッチ内部に設ける技術が提案されている（例えば特許文献２参照）。
【特許文献１】特開２０００−１２３６７８号公報
【特許文献２】特開平５−２５８６３９号公報
【発明の開示】
【発明が解決しようとする課題】
【０００７】
しかしながら、上述した従来技術では、振動や温度上昇などによって通電状態を判別するものであったため、健常者が操作を行う場合に違和感を感じるという問題がある。また、振動や温度上昇などによって通電状態を判別する構成とするには、スイッチ内部に振動片を振動させる機構や突起物を突出させる機構、温度を上げる機構などを設ける必要があり、スイッチの内部構造が複雑になり、コストアップにつながるという問題がある。
【０００８】
本発明は、このような事情を考慮してなされたものであり、簡単な機構で負荷への通電状態を判別することができるスイッチ回路を提供することを目的とする。
【課題を解決するための手段】
【０００９】
上述した課題を解決するために、本発明は、電源からの電力を負荷に対して通電／非通電する三路以上のスイッチ回路であって、オン／オフ操作で前記負荷に対して通電／非通電すべく前記負荷と前記電源との間に設けられた複数のスイッチと、前記複数のスイッチの各々に設けられ、前記複数のスイッチのいずれかの操作部がオン状態またはオフ状態となるように操作されると、操作されたスイッチ以外のスイッチの操作部の動作位置が操作されたスイッチと一致する状態となるように操作部の動作位置を変化させる手段とを具備することを特徴とする
【発明の効果】
【００１０】
この発明によれば、複数のスイッチのいずれかの操作部が操作されてオン状態となると、負荷に対して通電されるとともに、操作されたスイッチ以外のスイッチの動作位置がオン状態となる。また、複数のスイッチのいずれかの操作部が操作されてオフ状態となると、負荷に対して非通電となるとともに、操作されたスイッチ以外のスイッチの動作位置がオフ状態となる。これにより、スイッチの動作位置を見ただけでオン／オフ状態を判別することができるとともに、触覚によってもオン／オフ状態を判別することができるという効果が得られる。また、オン／オフ状態に応じて、スイッチ操作部の動作位置を変化させるようにしたため、使用者が違和感を感じることなく操作することができるという効果が得られる。また、スイッチの構造を変えることなくオン／オフ状態を判別できるようにしたため、簡単な機構で負荷への通電状態を容易に判別することができるという効果が得られる。
【発明を実施するための最良の形態】
【００１１】
以下、本発明の一実施形態によるスイッチ回路を、図面を参照して説明する。
図１は、本発明の実施形態によるスイッチ回路を示す回路図である。図において、照明器具２は、２極単投スイッチＳＷＡ、ＳＷＢの第１の接点（図面上側）を介して商用電源１に接続されている。２極単投スイッチＳＷＡ、ＳＷＢは並列接続されており、いずれか一方がオン状態になると、照明器具２が通電状態となる。２極単投スイッチＳＷＡ、ＳＷＢには、各々、オン状態を持続させるための電磁石Ｍ１、Ｍ２が設けられている。
【００１２】
電磁石Ｍ１、Ｍ２は、各々、照明器具２が通電状態となると同時に通電状態となるように、他方の２極単投スイッチの第２の接点（図面下側）を介して、照明器具２に並列接続されている。２極単投スイッチＳＷＡがオンにされると、２極単投スイッチＳＷＢ側の電磁石Ｍ２が通電されてオン状態となる。また、２極単投スイッチＳＷＢがオンにされると、２極単投スイッチＳＷＡ側の電磁石Ｍ１が通電されてオン状態となる。これは、言い換えると、２極単投スイッチＳＷＡまたは２極単投スイッチＳＷＢのうち、いずれか一方の２極単投スイッチがオンにされると、双方の電磁石Ｍ１、Ｍ２が通電状態となり、双方のスイッチが引き付けられて強制的にオン状態にすることを意味する。
【００１３】
また、２極単投スイッチＳＷＡ、ＳＷＢには、各々、バネ（スプリング、板バネなどの弾性部材）Ｓ１、Ｓ２が設けられており、電磁石Ｍ１、Ｍ２が非通電となると、強制的にオフ側へ引き戻すようになっている。２極単投スイッチＳＷＡがオフにされると、２極単投スイッチＳＷＢ側の電磁石Ｍ２が非通電、すなわちオフ状態となり、２極単投スイッチＳＷＢがバネＳ２により引き戻されてオフ状態になる。また、２極単投スイッチＳＷＢがオフにされると、２極単投スイッチＳＷＡ側の電磁石Ｍ１が非通電、すなわちオフ状態となり、２極単投スイッチＳＷＡがバネＳ１により引き戻されてオフ状態になる。これは、言い換えると、スイッチＳＷＡまたはスイッチＳＷＢのうち、いずれか一方のスイッチがオフにされると、双方の電磁石Ｍ１、Ｍ２が非通電となり、双方のスイッチがバネにより引き戻されて強制的にオフ状態にすることを意味する。
【００１４】
図２は、本実施形態によるスイッチの操作面を説明するための模式図である。図において、２極単投スイッチＳＷＡ、ＳＷＢの操作面は、一方の面がオン（ＯＮ）、他方の面がオフ（ＯＦＦ）となっており、ちょうど、オン側の操作面下に電磁石Ｍ１、Ｍ２が配置されており、オフ側の操作面下にバネＳ１、Ｓ２が配置されている。すなわち、いずれか一方の２極単投スイッチがオンにされると、上述したように、照明器具２に通電されるとともに、双方の電磁石Ｍ１、Ｍ２が通電状態となり、他方の２極単投スイッチのオン側の操作面も電磁石に引き付けられる。また、いずれか一方の２極単投スイッチがオフにされると、双方の電磁石Ｍ１、Ｍ２が非通電となり、他方の２極単投スイッチのオフ側の操作面もバネにより引き戻される。
【００１５】
以下、本実施形態によるスイッチ回路の動作を具体的に説明する。２極単投スイッチＳＷＡがオンにされると、照明器具２が通電状態となって点灯するとともに、双方の電磁石Ｍ１、Ｍ２が通電状態となり、２極単投スイッチＳＷＡが電磁石Ｍ１に引き付けれてオン状態を維持し、スイッチＳＷＢが電磁石Ｍ２に引き付けられて強制的にオン状態になる。このとき、双方の２極単投スイッチＳＷＡ、ＳＷＢともオン側の操作面が押下された状態となる。
【００１６】
このオン状態で、例えば、２極単投スイッチＳＷＢがオフにされると、照明器具２が非通電上となって消灯するとともに、双方の電磁石Ｍ１、Ｍ２が非通電状態となり、２極単投スイッチＳＷＡがバネＳ１により強制的に引き戻されてオフとなる。このとき、双方の２極単投スイッチＳＷＡ、ＳＷＢともオフ側の操作面が押下された状態となる。
【００１７】
このように、本実施形態のスイッチ回路では、照明器具に通電して点灯としている場合には、双方の２極単投スイッチＳＷＡ、ＳＷＢの操作面ともオン（ＯＮ）となっており、照明器具２が消灯している場合には、双方の２極単投スイッチＳＷＡ、ＳＷＢの操作面ともオフ（ＯＦＦ）となっている。ゆえに、利用者は、２極単投スイッチＳＷＡ、ＳＷＢの操作面を触るだけで、現在、照明器具２が点灯しているのか、消灯しているのかを判別することができる。
【００１８】
なお、上述した実施形態において、スイッチ操作部の動作位置（オン状態、オフ状態それぞれに予め決められた位置）を変化させる手段として、電磁石とバネ（弾性部材）を使用した構成を例にして説明したが、モータ等を駆動してスイッチ操作部の動作位置を変化させるようにしてもよい。
【００１９】
また、スイッチの操作面上の「ＯＮ」、「ＯＦＦ」の文字を凸状にしたり、凹状にしたり、あるいは点字で刻印したりしてもよい。これにより、より容易に通電状態を判別することができ、特に視覚障害者にとって好ましい。また、ＬＥＤなどの発光素子を用いてオン状態のときに「緑色」、オフ状態のときに「赤色」などで発光させるようにしてもよい。これにより、シーリング照明などのプル紐やリモコンを併用してオン／オフ操作している場合には、健常者であっても、スイッチの操作面を見ただけで通電状態を容易に判別することができる。
【００２０】
また、上述した実施形態では、２極単投スイッチ（三路スイッチ）ＳＷＡ、ＳＷＢとして、チルトスイッチを例に説明したが、これに限らず、プッシュ型のボタンスイッチであってもよい。この場合、通電状態では、電磁石により操作部を引き付けて維持し（押下した状態）、非通電時には、バネにより操作部を突出するようにすれば、スイッチの操作部を触るだけで、現在、照明器具２が点灯しているのか、消灯しているのかを判別することができる。また、本願発明は、スイッチを２つ設けた三路スイッチを例に説明したが、スイッチを３つ以上設けた四路以上のスイッチにも適用可能である。すなわち、２つ以上のスイッチのいずれかでＯＮ／ＯＦＦを行うことができるスイッチ（三路以上のスイッチ）に適用可能である。
【図面の簡単な説明】
【００２１】
【図１】本発明の実施形態によるスイッチ回路を示す回路図である。
【図２】本実施形態によるスイッチの操作面を説明するための模式図である。
【図３】従来技術による、三路スイッチを用いた一般的な照明器具用の回路図である。
【図４】従来技術による、スイッチの操作面を説明するための模式図である。
【符号の説明】
【００２２】
１  商用電源（電源）
２  照明器具（負荷）
ＳＷＡ、ＳＷＢ  ２極単投スイッチ（複数のスイッチ）
Ｍ１、Ｍ２  電磁石
Ｓ１、Ｓ２  バネ
【図１】
2006252911.tif 000003
【図２】
2006252911.tif 000004
【図３】
2006252911.tif 000005
【図４】
2006252911.tif 000006